【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
ビデオデータを線形モデル(LM)予測復号する方法であって、
復号されている前記ビデオデータのクロマブロックに対応する前記ビデオデータのルーマブロックを決定するステップと、
前記クロマブロックの左境界上の前記クロマブロックのクロマサンプルに対応する、前記ルーマブロックのルーマサンプルに適用すべき第1のフィルタをフィルタのセットから決定するステップと、
前記クロマブロックの左境界上にない前記クロマブロックのクロマサンプルに対応する、前記ルーマブロックのルーマサンプルに適用すべき第2のフィルタをフィルタのセットから決定するステップと、
前記決定された第1のフィルタを使用して、前記クロマブロックの左境界上の前記クロマブロックのクロマサンプルに対応する前記ルーマブロックの前記ルーマサンプルをダウンサンプリングするステップと、
前記決定された第2のフィルタを使用して、前記クロマブロックの左境界上にない前記クロマブロックのクロマサンプルに対応する前記ルーマブロックの前記ルーマサンプルをダウンサンプリングするステップと、
前記ダウンサンプリングされたルーマブロックに基づいて、予測的ブロックを決定するステップと、
前記予測的ブロックおよび残差ブロックに基づいて、前記クロマブロックを再構成するステップと
を備える、方法。
【請求項２】
ビデオデータを線形モデル(LM)予測符号化する方法であって、
符号化されている前記ビデオデータのクロマブロックに対応する前記ビデオデータのルーマブロックを決定するステップと、
前記クロマブロックの左境界上の前記クロマブロックのクロマサンプルに対応する、前記ルーマブロックのルーマサンプルに適用すべき第1のフィルタをフィルタのセットから決定するステップと、
前記クロマブロックの左境界上にない前記クロマブロックのクロマサンプルに対応する、前記ルーマブロックのルーマサンプルに適用すべき第2のフィルタをフィルタのセットから決定するステップと、
前記決定された第1のフィルタを使用して、前記クロマブロックの左境界上の前記クロマブロックのクロマサンプルに対応する前記ルーマブロックの前記ルーマサンプルをダウンサンプリングするステップと、
前記決定された第2のフィルタを使用して、前記クロマブロックの左境界上にない前記クロマブロックのクロマサンプルに対応する前記ルーマブロックの前記ルーマサンプルをダウンサンプリングするステップと、
前記ダウンサンプリングされたルーマブロックに基づいて、予測的ブロックを決定するステップと、
前記クロマブロックおよび前記予測的ブロックに基づいて、残差ブロックを生成するステップと
を備える、方法。
【請求項３】
前記第1のフィルタが2タップフィルタを備え、前記第2のフィルタが6タップフィルタを備える、
請求項1または2に記載の方法。
【請求項４】
前記ルーマブロックに隣接する1つまたは複数の隣接ルーマブロックをダウンサンプリングするステップと、
前記ダウンサンプリングされた1つまたは複数の隣接ルーマブロックと、前記クロマブロックに隣接する1つまたは複数の隣接クロマブロックとに基づいて、第1のパラメータおよび第2のパラメータを決定するステップと
をさらに備え、
前記予測的ブロックを決定するステップが、前記ダウンサンプリングされたルーマブロックと、前記第1のパラメータと、前記第2のパラメータとに基づいて、前記予測的ブロックを決定するステップを備える、
請求項1または2に記載の方法。
【請求項５】
前記ルーマブロックに隣接する1つまたは複数の隣接ルーマブロックと、前記クロマブロックに隣接する1つまたは複数の隣接クロマブロックとに基づいて、第1のパラメータのセットおよび第2のパラメータを決定するステップ
をさらに備え、
前記予測的ブロックを決定するステップが、前記ダウンサンプリングされたルーマブロックと、前記第1のパラメータのセットと、前記第2のパラメータとに基づいて、前記予測的ブロックを決定するステップを備える、
請求項2に記載の方法。
【請求項６】
前記ルーマブロックの1つまたは複数のルーマサンプルが、ピクチャ、コーディングユニット(CU)、予測ユニット(PU)、または変換ユニット(TU)のうちの1つまたは複数の外にあり、前記方法が、
パディング値を用いて、外にある前記1つまたは複数のルーマサンプルに対してルーマサンプル値をパディングするステップ
をさらに備え、
前記ルーマブロックをダウンサンプリングするステップが、前記パディング値を有する前記ルーマブロックをダウンサンプリングするステップを備える、
請求項1または2に記載の方法。
【請求項７】
前記ルーマブロックがルーマ残差ブロックを備え、前記クロマブロックがクロマ残差ブロックを備える、
請求項1または2に記載の方法。
【請求項８】
ビデオデータを線形モデル(LM)予測復号するためのデバイスであって、
復号されている前記ビデオデータのクロマブロックに対応する前記ビデオデータのルーマブロックを決定するための手段と、
前記クロマブロックの左境界上の前記クロマブロックのクロマサンプルに対応する、前記ルーマブロックのルーマサンプルに適用すべき第1のフィルタをフィルタのセットから決定するための手段と、
前記クロマブロックの左境界上にない前記クロマブロックのクロマサンプルに対応する、前記ルーマブロックのルーマサンプルに適用すべき第2のフィルタをフィルタのセットから決定するための手段と、
前記決定された第1のフィルタを使用して、前記クロマブロックの左境界上の前記クロマブロックのクロマサンプルに対応する前記ルーマブロックの前記ルーマサンプルをダウンサンプリングするための手段と、
前記決定された第2のフィルタを使用して、前記クロマブロックの左境界上にない前記クロマブロックのクロマサンプルに対応する前記ルーマブロックの前記ルーマサンプルをダウンサンプリングするための手段と、
前記ダウンサンプリングされたルーマブロックに基づいて、予測的ブロックを決定するための手段と、
前記予測的ブロックおよび残差ブロックに基づいて、前記クロマブロックを再構成するための手段と
を備える、デバイス。
【請求項９】
ビデオデータを線形モデル(LM)予測符号化するためのデバイスであって、
符号化されている前記ビデオデータのクロマブロックに対応する前記ビデオデータのルーマブロックを決定するための手段と、
前記クロマブロックの左境界上の前記クロマブロックのクロマサンプルに対応する、前記ルーマブロックのルーマサンプルに適用すべき第1のフィルタをフィルタのセットから決定するための手段と、
前記クロマブロックの左境界上にない前記クロマブロックのクロマサンプルに対応する、前記ルーマブロックのルーマサンプルに適用すべき第2のフィルタをフィルタのセットから決定するための手段と、
前記決定された第1のフィルタを使用して、前記クロマブロックの左境界上の前記クロマブロックのクロマサンプルに対応する前記ルーマブロックの前記ルーマサンプルをダウンサンプリングするための手段と、
前記決定された第2のフィルタを使用して、前記クロマブロックの左境界上にない前記クロマブロックのクロマサンプルに対応する前記ルーマブロックの前記ルーマサンプルをダウンサンプリングするための手段と、
前記ダウンサンプリングされたルーマブロックに基づいて、予測的ブロックを決定するための手段と、
前記クロマブロックおよび前記予測的ブロックに基づいて、残差ブロックを生成するための手段と
を備える、デバイス。
【請求項１０】
実行されたとき、ビデオデータを線形モデル(LM)予測復号するためのデバイスの1つまたは複数のプロセッサに、
請求項1から7のいずれか一項に記載の方法を実行させる命令を記憶する
コンピュータ可読記憶媒体。